(57)【要約】      （修正有）【課題】火災、ガス漏れ、盗難といった異種の異常検出について相互に連動警報を可能として住宅等の警戒区画での監視性能を高める。【解決手段】送信処理部５８はイベント検出部５６で火災を検出した時に、他の警報器へ検出対象となる第１の異常として火災を示すイベント符号を含むイベント信号を送信する。警報処理部６２は、イベント検出部５６で火災を検出した時に第１の異常警報として火災警報を出力し、受信処理部６０で他の警報器からのイベント信号を受信した時に、イベント信号のイベント符号内容がイベント検出部の検出対象と同種の火災を示す場合には第１の異常警報として火災警報を出力し、イベント符号内容がイベント検出部の検出対象とは異なる異常、例えばガス漏れを示す場合には、イベント符号内容に応じて第１の異常警報とは異なる第２の異常警報としてガス漏れ警報を出力する。【選択図】図２
2010267182.tif 000002
【特許請求の範囲】
【請求項１】
異常の有無を含むイベントを検出するイベント検出部と、
前記イベント検出部で異常を検出した時に、他の警報器へ前記イベント検出部の検出対象となる第１の異常を示すイベント符号を含むイベント信号を送信する送信処理部と、
他の警報器からのイベント信号を受信する受信処理部と、
前記イベント検出部で異常を検出した時に第１の異常警報を出力し、前記受信処理部で他の警報器からのイベント信号を受信した時に、前記イベント信号のイベント符号内容が前記イベント検出部の検出対象と同種の異常を示す場合には第１の異常警報を出力し、前記イベント符号内容が前記イベント検出部の検出対象とは異なる異常を示す場合には、前記イベント符号内容に応じて前記第１の異常警報とは異なる第２の異常警報を出力する警報処理部と、
を備えたことを特徴とする警報器。
【請求項２】
請求項１記載の警報器に於いて、前記警報処理部は、前記イベント検出部で異常が検出されたときは、他の警報器から受信したイベント信号に基づく前記第２の異常警報に優先して、前記イベント検出部で検出された異常を第１の異常警報として警報することを特徴とする警報器。
【請求項３】
請求項１記載の警報器に於いて、前記警報処理部は、前記イベント検出部で異常が検出されたことに基づく第１の異常警報出力中に他の警報器から前記イベント検出部の検出対象とは異なる異常を示すイベント符号を含むイベント信号を受信したときには、前記第１の異常警報に優先して前記第２の異常を警報することを特徴とする警報器。
【請求項４】
請求項１記載の警報器に於いて、前記警報処理部は、前記イベント検出部で異常が検出されると共に、他の警報器からイベント信号を受信しているときには、前記イベント検出部で検出された異常を第１の異常警報として出力し、併せて前記他の警報器から受信したイベント信号に基づく異常を第２の異常警報として出力することを特徴とする警報器。
【請求項５】
請求項１乃至４のいずれかに記載の警報器に於いて、
前記イベント検出部は火災の有無を検出し、
前記送信処理部は前記イベント検出部の検出対象となる第１の異常として火災を示すイベント符号を含むイベント信号を送信し、
前記警報処理部は、前記イベント検出部で火災を検出した時に第1の異常警報として火災警報を出力し、前記受信処理部で他の警報器からのイベント信号を受信した時に、前記イベント信号のイベント符号内容が前記イベント検出部の検出対象と同種の火災を示す場合には第１の異常警報として火災警報を出力し、前記イベント符号内容が前記イベント検出部の検出対象とは異なる異常を示す場合には、前記イベント符号内容に応じて前記火災警報とは異なる第２の異常警報を出力することを特徴とする警報器。
【請求項６】
請求項５記載の警報器に於いて、前記警報処理部は、前記火災警報とは異なる第２の異常警報としてガス漏れ警報または盗難警報を出力することを特徴とする警報器。
【請求項７】
請求項１記載の警報器に於いて、
前記送信処理部は、前記イベント検出部で異常の復旧を検出した場合に、他の警報器に異常復旧を示すイベント符号を含むイベント信号を送信させ、
前記警報処理部は、前記イベント検出部で異常の復旧を検出した場合に前記第１の異常警報の出力を停止し、前記受信処理部で他の警報器からのイベント信号を受信した時に、受信したイベント信号から第１の異常の復旧を示すイベント符号を判定した場合に第１の異常警報の出力を停止し、受信したイベント信号から第２の異常の復旧を示すイベント符号を判定した場合に前記第２の異常警報の出力を停止することを特徴とする警報器。
【請求項８】
請求項１記載り警報器に於いて、
前記送信処理部は、前記イベント検出部により異常警報の停止指示を検出した場合に、他の警報器に警報停止を示すイベント符号を含むイベント信号を送信させ、
前記警報処理部は、前記イベント検出部により異常警報の停止指示を検出した場合に前記第１の異常警報の出力を停止し、前記受信処理部で他の警報器からのイベント信号を受信した時に、受信したイベント信号から第１の異常の警報停止を示すイベント符号を判定した場合に第１の異常警報の出力を停止し、受信したイベント信号から第２の異常の警報停止を示すイベント符号を判定した場合に前記第２の異常警報の出力を停止することを特徴とする警報器。
【請求項９】
警戒エリアに、
異常を検出して警報する警報器と、
前記警報器とは異なる異常を検出して警報する異種警報器と、
を配置し、
前記警報器及び異種警報器の各々は、
前記警報器および前記異種警報器は一方向または双方向に通信する通信部と、
前記通信部によって自己の検出対象と異なる異常信号を受信したときは、当該自己の検出対象と異なる異常を警報する警報部と、
を備えたことを特徴とする警報システム。
【請求項１０】
請求項９記載の警報システムに於いて、
前記警報器は火災を検出して警報し、
前記異種警報器はガス漏れまたは盗難を検出して警報し、
前記警報器の警報部は、前記通信部によって自己の検出対象と異なるガス漏れ又は盗難信号を受信したときは、ガス漏れまたは盗難を警報し、
前記異種警報器の警報部は、前記通信部によって自己の検出対象と異なる火災信号を受信したときは、火災を警報することを特徴とする警報システム。
【発明の詳細な説明】
【技術分野】
【０００１】
本発明は、火災やガス漏れなどの異常を検出して警報すると共に他の警報器に信号を中継送信して警報を連動出力させる警報器及び警報システムに関する。
【背景技術】
【０００２】
従来、住宅における火災を検出して警報する住宅用警報器（以下「住警器」という）が普及しており、近年にあっては、複数の住警器を相互に通信させ、１つの住警器の異常情報を他の警報器でも警報できる連動型警報システム向けの無線式住警器が実用化されており、これらの中には電池電源によって動作するものがある。
【０００３】
無線通信を行う連動型の警報システムにあっては、ある住警器で火災を検出した場合、火災を検出した連動元の住警器は、例えば「ウーウー火災警報器が作動しました  確認してください」との音声メッセージを出力し、一方、連動先の住警器では「ウーウー別の火災警報器が作動しました  確認してください」という音声メッセージを出力するようにしている。また、連動元の住警器の警報ランプは明滅とし、連動先の住警器の警報ランプは点滅とし、警報ランプの表示からも連動元か連動先かが区別できるようにしている。
【０００４】
一方、住宅には火災を検出して警報する住警器の他、ガス漏れ警報器やＣＯ警報器、さらには各種の防犯用警報器などが設置される場合がある。
【先行技術文献】
【特許文献】
【０００５】
【特許文献１】特開２００７−０９４７１９号公報
【発明の概要】
【発明が解決しようとする課題】
【０００６】
しかしながら、このような従来の連動警報を行う無線式の住警器にあっては、同種の異常である火災の検出について連動警報を行うが、それ以外にガス漏れ警報器、ＣＯ警報器、防犯用警報器は独立した別の警報システムを構築しており、同じ住宅での異常監視が異常の種別毎に別々に行われることから不経済であり、また、住警器は居間や寝室などの人のいる部屋に設置されるが、ガス漏れ警報器やＣＯ警報器は台所などの特定の場所に設置され、その場所にいないと警報が聞こえづらいという問題もある。
【０００７】
本発明は、火災、ガス漏れ、盗難といった異種の異常検出について相互に連動警報を可能として住宅等の異常監視性能を高める警報器及び警報システムを提供することを目的とする。
【課題を解決するための手段】
【０００８】
（警報器）
本発明は警報器であって、
異常の有無を含むイベントを検出するイベント検出部と、
イベント検出部で異常を検出した時に、他の警報器へ前記イベント検出部の検出対象となる第１の異常を示すイベント符号を含むイベント信号を送信する送信処理部と、
他の警報器からのイベント信号を受信する受信処理部と、
イベント検出部で異常を検出した時に第１の異常警報を出力し、受信処理部で他の警報器からのイベント信号を受信した時に、イベント信号のイベント符号内容がイベント検出部の検出対象と同種の異常を示す場合には第１の異常警報を出力し、イベント符号内容がイベント検出部の検出対象とは異なる異常を示す場合には、イベント符号内容に応じて第１の異常警報とは異なる第２の異常警報を出力する警報処理部と、
を備えたことを特徴とする。
【０００９】
ここで、警報処理部は、イベント検出部で異常が検出されたときは、他の警報器から受信したイベント信号に基づく第２の異常警報に優先して、イベント検出部で検出された異常を第１の異常警報として警報する。
【００１０】
警報処理部は、イベント検出部で異常が検出されたことに基づく第１の異常警報出力中に他の警報器からイベント検出部の検出対象とは異なる異常を示すイベント符号を含むイベント信号を受信したときには、第１の異常警報に優先して第２の異常を警報するようにしても良い。
【００１１】
警報処理部は、イベント検出部で異常が検出されると共に、他の警報器からイベント信号を受信しているときには、イベント検出部で検出された異常を第１の異常警報として出力し、併せて他の警報器から受信したイベント信号に基づく異常を第２の異常警報として出力するようにしても良い。
【００１２】
イベント検出部は火災の有無を検出し、
送信処理部はイベント検出部の検出対象となる第１の異常として火災を示すイベント符号を含むイベント信号を送信し、
警報処理部は、イベント検出部で火災を検出した時に第１の異常警報として火災警報を出力し、受信処理部で他の警報器からのイベント信号を受信した時に、イベント信号のイベント符号内容がイベント検出部の検出対象と同種の火災を示す場合には第１の異常警報として火災警報を出力し、イベント符号内容がイベント検出部の検出対象とは異なる異常を示す場合には、イベント符号内容に応じて火災警報とは異なる第２の異常警報を出力する。
【００１３】
警報処理部は、火災警報とは異なる第２の異常警報としてガス漏れ警報または盗難警報を出力する。
【００１４】
送信処理部は、イベント検出部で異常の復旧を検出した場合に、他の警報器に異常復旧を示すイベント符号を含むイベント信号を送信させ、
警報処理部は、イベント検出部で異常の復旧を検出した場合に第１の異常警報の出力を停止し、受信処理部で他の警報器からのイベント信号を受信した時に、受信したイベント信号から第１の異常の復旧を示すイベント符号を判定した場合に第１の異常警報の出力を停止し、受信したイベント信号から第２の異常の復旧を示すイベント符号を判定した場合に第２の異常警報の出力を停止する。
【００１５】
送信処理部は、イベント検出部により異常警報の停止指示を検出した場合に、他の警報器に警報停止を示すイベント符号を含むイベント信号を送信させ、
警報処理部は、前記イベント検出部により異常警報の停止指示を検出した場合に第１の異常警報の出力を停止し、受信処理部で他の警報器からのイベント信号を受信した時に、受信したイベント信号から第１の異常の警報停止を示すイベント符号を判定した場合に第１の異常警報の出力を停止し、受信したイベント信号から第２の異常の警報停止を示すイベント符号を判定した場合に第２の異常警報の出力を停止する。
【００１６】
(システム)
本発明は警報システムであって、
警戒エリアに、
異常を検出して警報する警報器と、
警報器とは異なる異常を検出して警報する異種警報器と、
を配置し、
警報器及び異種警報器の各々は、
警報器および異種警報器は一方向または双方向に通信する通信部と、
通信部によって自己の検出対象と異なる異常信号を受信したときは、当該自己の検出対象と異なる異常を警報する警報部と、
を備えたことを特徴とする。
【００１７】
ここで、警報器は火災を検出して警報し、
異種警報器はガス漏れまたは盗難を検出して警報し、
警報器の警報部は、通信部によって自己の検出対象と異なるガス漏れ又は盗難信号を受信したときは、ガス漏れまたは盗難を警報し、
異種警報器の警報部は、通信部によって自己の検出対象と異なる火災信号を受信したときは、火災を警報する。
【発明の効果】
【００１８】
本発明によれば、火災を検出して相互に連動警報する複数の警報器に加え、同じ住宅にガス漏れ警報器、ＣＯ警報器、盗難警報器といった異種の警報器を設置した場合、警報器と異種の警報器との間で警報を連動させる複合連動システムを構築することができ、例えば台所に設置しているガス漏れ警報器でガス漏れを検出して警報した場合、火災検出のために居間や寝室などに設置している警報器でもガス漏れを示す連動警報が出され、異なる場所に異なる種類の警報器を設置していても、相互に警報を連動することで、複数種類の警報を確実に報知し、適切な対応を迅速にとることができる。
【図面の簡単な説明】
【００１９】
【図１】住宅に対する本発明の警報システムの設置状態を示した説明図
【図２】図１の警報システムに設けた火災を検出して警報する住警器の実施形態を示したブロック図
【図３】本実施形態で使用するイベント信号のフォーマットを示した説明図
【図４】図２のメモリに設けたイベント管理テーブルの内容を示した説明図
【図５】図１の警報システムに設けたガス漏れを検出して警報するガス漏れ警報器の実施形態を示したブロック図
【図６】図２の住警器による火災監視処理を示したフローチャート
【図７】図５のガス漏れ警報器による火災監視処理を示したフローチャート
【発明を実施するための形態】
【００２０】
図１は住宅に対する本実施形態の警報システムの設置状態を示した説明図である。図１の例にあっては、住宅１４に設けられている台所、居間、主寝室、子供部屋のそれぞれに本実施形態の火災を検出して警報する住警器１０−１〜１０−４が設置され、更に屋外に建てられたガレージ１６にも住警器１０−５が設置され、更に、異種の警報器として台所にガス漏れ警報器１２を設置している。
【００２１】
住警器１０−１〜１０−５、ガス漏れ警報器１２のそれぞれは、イベント信号を相互に無線により送受信する機能を備え、住宅全体の火災監視と台所のガス漏れ監視を行っている。
【００２２】
いま住宅１４の子供部屋で万一、火災が発生したとすると、住警器１０−４が火災を検出して警報を開始する。この火災を検出して警報を開始することを、住警器における「発報」という。住警器１０−４が発報すると、住警器１０−４は連動元として機能し、連動先となる他の住警器１０−１〜１０−３，１０−５及びガス漏れ警報器１２に対し、火災発報を示すイベント信号を無線により送信する。他の住警器１０−１〜１０−３，１０−５及びガス漏れ警報器１２において、連動元の住警器１０−４からの火災発報を示すイベント信号を受信した場合に、連動先としての警報動作を行う。
【００２３】
ここで連動元となった住警器１０−４の警報音としては、例えば音声メッセージにより「ウーウー  火災警報器が作動しました  確認してください」を出力する。一方、連動先の住警器１０−１〜１０−３，１０−５及びガス漏れ警報器１２にあっては、「ウーウー  別の火災警報器が作動しました  確認してください」といった音声メッセージを出力する。
【００２４】
また住宅１４の台所に設置しているガス漏れ警報器１２でガス漏れを検出して警報すると、ガス漏れ警報器１２は連動元として機能し、連動先となる他の住警器１０−１〜１０−５に対し、ガス漏れを示すイベント信号を無線により送信する。住警器１０−１〜１０−５において、連動元のガス漏れ警報器１２からのガス漏れを示すイベント信号を受信した場合に、連動先としての警報動作を行う。
【００２５】
ここで連動元となったガス漏れ警報器１２の警報音としては、例えば音声メッセージにより「ピロピロピロ  ガス漏れ警報器が作動しました  確認してください」を出力する。一方、連動先の住警器１０−１〜１０−５にあっては、「ピロピロピロ  別のガス漏れ警報器が作動しました  確認してください」といった音声メッセージを出力する。
【００２６】
住警器１０−１〜１０−５及びガス漏れ警報器１２が警報音を出している状態で、警報停止スイッチを操作すると、警報音の停止処理が行われる。ここで、本実施形態の警報音の停止処理としては次のいずれかの停止処理を行う。
【００２７】
（１）住警器１０−１〜１０−５及びガス漏れ警報器１２の内、連動元以外の任意の警報停止スイッチを操作すると、連動元のみが引き続き警報音を流し、連動先は警報音を停止する。一方、連動元の警報停止スイッチを操作すると、連動元および連動先の全ての警報音を停止する。
【００２８】
（２）警報中の住警器１０−１〜１０−５及びガス漏れ警報器１２の内の任意の警報停止スイッチを操作すると、連動先、連動元に関わらず、全ての警報音を停止する。
【００２９】
（３）前記（１）の停止処理を第１モード、前記（２）の停止処理を第２モードとし、いずれか一方のモードを選択して停止処理を行う。
【００３０】
図２は図１の警報システムに設けた住警器の実施形態を示したブロック図である。図２は図１に示した５台の住警器１０−１〜１０−５につき、その内の住警器１０−１について回路構成を詳細に示している。
【００３１】
住警器１０−１と他の住警器１０−２〜１０−５およびガス漏れ警報器１２を結ぶ矢印はそれぞれが相互に通信することを示しているが、たとえば住警器１０−２と住警器１０−３なども相互に通信させるようにしている。もちろん、住警器１０−１をシステムの親機として、図２の矢印の経路でのみ通信するようにしたシステムでも、本発明を適用することが出来る。
【００３２】
住警器１０−１はワンチップＣＰＵとして知られたプロセッサ１８を備え、プロセッサ１８に対してはアンテナ２１を備えた無線通信部２０、記録回路部（メモリ）２２、センサ部２４、報知部２６、操作部２８及び電池電源３０を設けている。
【００３３】
無線通信部２０には送信回路３２と受信回路３４が設けられ、他の住警器１０−２〜１０−５及びガス漏れ警報器１２との間でイベント信号を無線により送受信できるようにしている。無線通信部２０としては、日本国内の場合には、例えば４００ＭＨｚ帯の特定小電力無線局の標準規格として知られたＳＴＤ−３０（小電力セキュリティシステム無線局の無線設備標準規格）またはＳＴＤ−Ｔ６７（特定小電力無線局テレメータ用、テレコントロール用及びデータ伝送用無線設備の標準規格）に準拠した構成を備える。
【００３４】
もちろん無線通信部２０としては、日本国内以外の場所については、その地域の割当無線局の標準規格に準拠した内容を持つことになる。
【００３５】
メモリ２２には、ベント信号の順番を示す連続番号である連番３８と住警器を特定するＩＤ（識別子）となる送信元符号４０が格納されている。送信元符号４０としては、国内に提供される住警器の数を予測し、例えば同一符号として重複しないように２６ビットの符号コードが使用される。
【００３６】
またメモリ２２にはイベント管理テーブル４４が格納されている。イベント管理テーブル４４には同じ住宅に設置している住警器１０−１〜１０−５及びガス漏れ警報器１２の発生イベントが記憶される。
【００３７】
センサ部２４には、本実施形態にあっては検煙部４６が設けられている。検煙部４６は煙の流入があると煙検出信号を出力する。検煙部４６からの煙検出信号はプロセッサ１８に取り込まれ（ＡＤ変換）、プロセッサ１８側で所定の火災レベルを超えると火災発報を判別し、また、検煙部１６からの煙検出信号が低下して火災レベルを下回ることで火災発報がなくなったこと（火災復旧）を判別するようにしている。
【００３８】
センサ部２４には検煙部４６以外に、火災による温度を検出するサーミスタ等の温度検出素子や、火災に伴うその他の物理現象変化を検出する各種素子を設けてもよい。
【００３９】
報知部２６にはスピーカ４８とＬＥＤ５０が設けられている。スピーカ４８は、図示しない音声合成回路部からの音声メッセージや警報音を出力する。ＬＥＤ５０は点滅や明滅、点灯などにより、火災などの異常を表示する。スピーカ４８に代えて、ブザー等を用いても良い。
【００４０】
操作部２８には警報停止スイッチ５２が設けられている。警報停止スイッチ５２を操作すると、住警器１０−１から流している警報音を停止することができる。警報停止スイッチ５２は、本実施形態にあっては住警器１０−１の内部機能や状態の点検開始を指示する点検スイッチと兼用している。警報停止スイッチ５２は、報知部２６からスピーカ４８により警報音を出力しているときにのみ有効となる。一方、警報音を出力していない通常監視状態で警報停止スイッチ５２は点検スイッチとして機能し、この状態で点検スイッチを押すと、所定の点検動作が実行されて報知部２６から点検結果を示す音声メッセージなどが出力される。
【００４１】
電池電源２０は、例えば所定セル数のリチウム電池やアルカリ乾電池を使用しており、電池容量としては住警器１０−１における無線通信部２０を含む回路部全体の低消費電力化により、例えば１０年の電池寿命を保証している。
【００４２】
プロセッサ１８にはプログラムの実行により実現される機能として、イベント検出部５６、送信処理部５８、受信処理部６０及び警報処理部６２が設けられている。
【００４３】
イベント検出部５６は、センサ部２４による異常検出、操作部２８による警報停止、センサ部２４の異常検出がなくなる異常復旧を含むイベントを検出する。
【００４４】
送信処理部５８は、イベント検出部５６によりセンサ部２４による異常検出、操作部２８による警報停止、センサ部２４の異常検出がなくなる異常復旧を含む自己のイベントを検出した時に、検出イベントを示すイベント信号を連動先の警報器に送信させる。
【００４５】
受信処理部６０は、住警器１０−２〜１０−５又はガス漏れ警報器１２からのイベント信号を受信して解読する。
【００４６】
警報処理部６２は、イベント検出部５６で自己の異常として火災発報を検出した時に第１の異常警報として火災警報を出力し、受信処理部６０で他の住警器１０−２〜１０−５またはガス漏れ警報器１２からのイベント信号を受信した時に、イベント信号のイベント符号内容がイベント検出部５６の検出対象と同種の異常である火災発報を示す場合には第１の異常警報とし連動先としての火災警報を出力し、イベント符号内容が自己のイベント検出部５６の検出対象とは異なる異常を示す場合には、イベント符号内容に応じて第１の異常警報とは異なる第２の異常警報としてガス漏れ警報を出力する。
【００４７】
この場合の第１の異常警報である火災警報と第２の異常警報であるガス漏れ警報は、報知部２６に設けたスピーカ４８によるブザー音や音声メッセージ等の音響警報とＬＥＤ５０の点灯、点滅、明滅などの警報表示を行う。
【００４８】
また警報処理部６２は、イベント検出部５６で自己の火災発報が検出されたときは、他の警報器であるガス漏れ警報器１２から受信したイベント信号に基づく第２の異常警報としてのガス漏れ警報に優先して、イベント検出部５６で検出された火災発報による第１の異常警報としての火災警報を行う。
【００４９】
また自己の火災発報とガス漏れ警報器１からのイベント信号受信が並行して発生した場合の警報として、自己の火災発報による火災警報を優先する代わりに、イベント検出部５６で検出された火災発報に基づき第１の異常警報としての火災警報を出力し、併せてガス漏れ警報器１２から受信したイベント信号に基づく第２の異常警報としてガス漏れ警報を、重複しなうように順番に出力するようにしても良い。
【００５０】
具体的に説明すると、警報処理部６２は、センサ部２４に設けた検煙部４６から煙検出信号からイベント検出部５６で火災を判別したときに、報知部２６のスピーカ４８から連動元を示す警報音例えば「ウーウー  火災警報器が作動しました  確認してください」を繰り返し出力させると共に、火災発報を示すイベント信号を無線通信部２０の送信回路３２によりアンテナ２１から他の住警器１０−２〜１０−５及びガス漏れ警報器１２に向けて送信させる。
【００５１】
また警報処理部６２は、他の住警器１０−２〜１０−５のいずれかまたはから火災発報を示すイベント信号を無線通信部２０の受信回路３４により受信し、受信処理部６０で有効となったときに、報知部２６のスピーカ４８から連動先を示す警報音例えば「ウーウー  別の火災警報器が作動しました  確認してください」となる音声メッセージを繰り返し出力させる。
【００５２】
また警報処理部６２は、ガス漏れ警報器１２からガス漏れを示すイベント信号を無線通信部２０の受信回路３４により受信し、受信処理部６０で有効となったときに、報知部２６のスピーカ４８から連動先を示す警報音例えば「ピロピロピロ  別のガス漏れ警報器が作動しました  確認してください」となる音声メッセージを繰り返し出力させる。
【００５３】
ここで、警報処理部６２で火災発報又はガス漏れの連動元警報音を出すときには、報知部２６のＬＥＤ５０を例えば明滅させ、一方、連動先警報音を出す場合には、報知部２６のＬＥＤ５０を点滅させる。これによって、連動元警報と連動先警報におけるＬＥＤ５０の表示を区別できるようにしている。もちろん、連動元警報と連動先警報のいずれについても、同じＬＥＤ５０の明滅または点滅、点灯表示であってもよい。
【００５４】
そして、自己の検出対象となる第１の警報としての火災警報（音響／表示）と、自己の検出対象と異なるガス漏れのイベント信号を受信した際の第２の警報としてのガス漏れ警報（音響／表示）をそれぞれ異ならせる。もちろん、第１の警報に伴う表示ＬＥＤ５０とは別に第２の警報に伴う表示ＬＥＤを設けることも出来る。
【００５５】
また警報処理部６２は、連動元を示す警報音の出力中に操作部２８に設けている警報停止スイッチ５２の操作を検出したとき、スピーカ４８から出力している連動元を示す警報音を停止させると共に、警報停止のイベント信号を無線通信部２０の送信回路３２から他の住警器１０−２〜１０−５及びガス漏れ警報器１２に送信し、他の住警器１０−２〜１０−５及びガス漏れ警報器１２おける連動先の警報音を停止させる。
【００５６】
この場合、スピーカ４８から出力している連動元を示す警報音を停止させ、ＬＥＤ５０の表示は少なくとも所定期間保持し、警報停止のイベント信号を無線通信部２０の送信回路３２から他の住警器１０−２〜１０−５及びガス漏れ警報器１２に送信し、他の住警器１０−２〜１０−５及びガス漏れ警報器１２における連動先の警報音とＬＥＤ５０の表示を停止させ、連動元の表示だけは残すようにしても良い。このようにすれば、後に発報履歴として確認することで異常検出元（異常発生場所）を特定することが容易になる。もちろん、その他の警報停止パターンを取ることも出来る。
【００５７】
また警報処理部６２は、連動先を示す警報音の出力中に他の住警器１０−２〜１０−５またはガス漏れ警報器１２から警報停止のイベント信号を無線通信部２０の受信回路３４により受信し、受信処理部６０で有効となったときは、連動先を示す警報音を停止させる。
【００５８】
また警報処理部６２は、センサ部２４に設けた検煙部４６から煙がなくなることで火災が判別されなくなったことをイベント検出部５６で検出した時に、連動元警報を停止させて通常状態に戻すと共に、このとき送信処理部６０により火災復旧を示すイベント信号を無線通信部２０の送信回路３２から連動先の住警器１０−２〜１０−５及びガス漏れ警報器１２に送信させ、一方、他の住警器１０−２〜１０−５から火災復旧を示すイベント信号を無線通信部２０の受信回路３４で受信し、受信処理部６０で有効となった時に、連動先警報を停止させて通常状態に戻す。
【００５９】
これよって、住警器１０−１で連動元警報が出された場合、現場確認により火災以外の煙による発報と確認されたときや適切な対応により早期に火災の原因が取り除かれた時などには、図１に示した検煙部１６の煙流入口から息を吹き込んで中に入っている煙を出せば、センサ部２４からの火災検出信号がなくなり、自動的に連動元の警報音は停止して通常の監視状態に復旧することができる。
【００６０】
また警報処理部６２は、ガス漏れ警報の出力中に、ガス漏れ警報器１２からガス漏れ復旧を示すイベント信号を無線通信部２０の受信回路３４で受信し、受信処理部６０で有効となった時に、連動先としてのガス漏れ警報を停止させて通常状態に戻す。
【００６１】
図３は本実施形態で使用するイベント信号のフォーマットを示した説明図である。図３において、イベント信号３６は連番３８、送信元符号４０及びイベント符号４２で構成されている。
【００６２】
連番３８は警報器間の通信に於いてイベント信号の中継処理を管理するためのものであるが、本実施形態には直接関係しないので詳細な説明を省略する。送信元符号４０はイベント信号を送信した住警器または警報器を特定する個別のＩＤであって、国内の無線機器から発信される信号に付加することが規格等で義務づけられている。ここでは例えば各住警器または警報器のシリアル番号を使用する。
【００６３】
また隣接する住居に設置されている警報器との間で不必要な信号のやりとりが発生しないように、自己の属するシステムを識別するためのグループ符号等を付加することもあるが、ここでは省略する。
【００６４】
連番３８はイベント信号の順番を示す連続番号であり、イベント信号を送信する毎に１つずつ増加させる。また、連番３８は住警器１０−１〜１０−５およびガス漏れ警報器１２の各々で非同期に生成している。
【００６５】
イベント符号４２は、火災、ガス漏れなどのイベント内容を表す符号であり、本実施形態にあっては３ビット符号を使用しており、例えば「００１」で火災、「０１０」でガス漏れ、「０１１」で盗難、「１００」で警報停止、「１０１」で復旧、残りをリザーブとしている。なおイベント符号４２のビット数は、イベントの種類が増加したときには更に４ビット、５ビットと増加させることで、複数種類のイベント内容を表すことができる。
【００６６】
本実施例ではここの構成によるものとして説明するが、イベント符号で表すイベント種別を「火災」「火災復旧」「ガス漏れ」「盗難」とし、これとは別に「ＯＮ／ＯＦＦ」符号を付加するようにしても良く、例えばイベント種別が「火災」でＯＮ／ＯＦＦ符号が「ＯＮ」であれば火災、「ＯＦＦ」であれば警報停止といった解読をするようにすることも出来る。また、この他に「障害」等のイベント種別を設けることが出来る。
【００６７】
図４は図２のメモリ２２に記憶したイベント管理テーブル４４の内容を示した説明図であり、図１の住宅１４に設置した住警器１０−１〜１０−５およびガス漏れ警報器１２の送信元符号を１０１，１０２，１０３，１０４，１０５，１０６とした場合を例にとっている。
【００６８】
イベント管理テーブル４４は送信元符号と発生イベント種別で構成される。送信元符号の登録処理は、例えば工場出荷時や住宅に設置するときに登録作業を行う。
【００６９】
発生イベントには、イベント検出部５６で検出したイベントの内容または受信処理部６０で受信したイベント符号の内容が送信元符号に対応して記憶される。
【００７０】
図５は図１の警報システムに設けたガス漏れ警報器１２の実施形態を示したブロック図である。
【００７１】
ガス漏れ警報器１２はプロセッサ１１８を備え、プロセッサ１１８に対してはアンテナ１２１を備えた無線通信部１２０、記録回路部（メモリ）１２２、ガス漏れを検出するセンサ部１２４、報知部１２６、操作部１２８及び電池電源１３０を設けている。
【００７２】
無線通信部１２０には送信回路１３２と受信回路１３４が設けられる。メモリ１２２には、イベント信号に付加する連続番号である連番３８と住警器１０−１同様に警報器を特定するＩＤ（識別子）となる送信元符号４０が格納され、更に図４に示したと同じイベント管理テーブル４４が格納されている。報知部１２６にはスピーカ１４８とＬＥＤ１５０が設けられ、操作部１２８には警報停止スイッチ１５２が設けられている。スピーカ４８に代えて、ブザー等を用いても良い。
【００７３】
これらの詳細は、ガス漏れを検出するセンサ部２４を除き、図２の住警器１０−１に設けた無線通信部２０、メモリ２２、報知部２６、操作部２８及び電池電源３０と基本的に同じになる。
【００７４】
プロセッサ１１８にはプログラムの実行により実現される機能として、イベント検出部１５６、送信処理部１５８、受信処理部１６０及び警報処理部１６２が設けられている。イベント検出部１５６、送信処理部１５８、受信処理部１６０及び警報処理部１６２の機能は、図２の住警器１０−１のプロセッサに設けたイベント検出部５６、送信処理部５８、受信処理部６０及び警報処理部６２に対応しており、イベント検出部１５６で検出する第１の異常がガス漏れであり、受信処理部６０で他の住警器から受信するイベント信号による第２の異常が火災発報となる点で相違し、それ以外は基本的に同じになる。
【００７５】
図６は図２の住警器１０−１における火災監視処理の一例を示したフローチャートであり、プロセッサ１８のプログラムの実行による処理となる。
【００７６】
図６において、火災監視処理は、ステップＳ１で火災発報を監視しており、センサ部２４から出力された煙検出信号が所定の火災レベルを超えると火災発報を判別してステップＳ２に進み、連番、送信元符号、火災発報を示すイベント符号を含むイベント信号を他の住警器に無線により送信した後、ステップＳ３で連動元を示す警報を出力する。
【００７７】
続いて、ステップＳ４でセンサ部２４からの煙検出信号が低下して火災発報がなくなる火災復旧の有無を判別しており、火災発報が継続している場合はステップＳ５で警報停止スイッチ５２による警報停止操作の有無を判別し、警報停止操作が無ければステップＳ６で他の住警器からの警報停止のイベント信号の受信の有無を判別する処理を繰り返している。なお、火災発報の継続中にあっては、所定時間毎に火災発報を示すイベント信号の送信を繰り返している。
【００７８】
ステップＳ４〜Ｓ６の処理サイクル中に、センサ部２４からの煙検出信号が低下し火災発報がなくなるとステップＳ４で火災復旧が判別され、ステップＳ７で連番、送信元符号、火災復旧を示すイベント符号を含むイベント信号を他の住警器に送信し、ステップＳ９に進んで連動元警報を停止し、この場合は通常の監視状態に戻る。
【００７９】
またステップＳ６で他の住警器から警報停止イベント信号の受信を判別すると、ステップＳ９に進んで連動元警報を停止する。これに限らず、警報停止処理は、先述の（１）〜（３）のパターンの何れに依っても良い。またＬＥＤ５０による表示は、先に述べたように履歴（記憶）表示を行うなど、音響警報の停止処理と異ならせることも出来る。
【００８０】
ステップＳ５で自己の警報停止操作を判別した場合は、ステップＳ８に進んで他の住警器に連番、送信元符号、警報停止を示すイベント符号を含むイベント信号を送信し、ステップＳ９で連動元警報を停止する。そして連動元としての自己の警報を停止する。
【００８１】
一方、ステップＳ１で火災発報でなかった場合には、ステップＳ１０で他の住警器またはガス漏れ警報器からのイベント信号受信の有無を判別している。他の住警器若しくは警報器からのイベント信号受信を判別すると、ステップＳ１１に進んでイベント符号が自己の検出対象と同種の火災発報のイベントか否か判別し、同種の火災発報イベントを判別した場合はステップＳ１２に進んで連動先としての火災警報（第１の異常警報）を行う。
【００８２】
これに対しステップＳ１１で自己の検出対象と異種のガス漏れイベントを判別した場合はステップＳ１３に進み、連動先としてのガス漏れ警報（第２の異常警報）を出力する。
【００８３】
次にステップＳ１４で他の住警器またはガス漏れ警報器からの異常復旧を示すイベント信号受信の有無を判別しており、異常復旧を示すイベント信号を受信すると、ステップＳ１８に進んで連動先としての警報を停止し、この場合は通常の監視状態に戻る。ここでも、音響警報停止処理と表示警報停止処理の内容や組み合わせパターンから適宜に選択して行わせることが出来る。
【００８４】
ステップＳ１４で異常復旧を示すイベント信号受信がない場合には、ステップＳ１５で他の住警器またはガス漏れ警報器からの警報停止を示すイベント信号の受信の有無をチェックしており、警報停止を示すイベント信号の受信を判別すると、ステップＳ１８に進んで連動先としての警報を停止する。ここでも、音響警報停止処理と表示警報停止処理の内容や組み合わせパターンから適宜に選択して行わせることが出来る。
【００８５】
ステップＳ１５で警報停止を示すイベント信号受信がない場合には、ステップＳ１６で警報停止スイッチ５２による警報停止操作の有無を判別しており、警報停止操作を判別すると、ステップＳ１７に進んで他の住警器およびガス漏れ警報器に、連番、送信元符号、警報停止を示すイベント符号を含むイベント信号を送信した後、ステップＳ１８で連動先を示す警報を停止する。
【００８６】
図７は図５のガス漏れ警報器１２におけるガス漏れ監視処理の一例を示したフローチャートであり、プロセッサ１１８のプログラムの実行による処理となる。
【００８７】
図７において、ガス漏れ監視処理は、ステップＳ２１でガス漏れ発生を監視しており、センサ部１２４から出力された検出信号が所定のレベルを超えるとガス漏れを判別してステップＳ２２に進み、連番、送信元符号、ガス漏れを示すイベント符号を含むイベント信号を住警器に無線により送信した後、ステップＳ２３で連動元を示す警報を出力する。
【００８８】
続いて、ステップＳ２４でセンサ部１２４からの検出信号が低下してガス漏れがなくなるガス漏れ復旧の有無を判別しており、ガス漏れが継続している場合はステップＳ２５で警報停止スイッチ１５２による警報停止操作の有無を判別し、警報停止操作が無ければステップＳ２６で住警器からの警報停止のイベント信号の受信の有無を判別する処理を繰り返している。なお、ガス漏れの継続中にあっては、所定時間毎にガス漏れを示すイベント信号の送信を繰り返している。
【００８９】
ステップＳ２４〜Ｓ２６の処理サイクル中に、センサ部１２４からの検出信号が低下しガス漏れがなくなるとステップＳ２４でガス漏れ復旧が判別され、ステップＳ２７で連番、送信元符号、ガス漏れ復旧を示すイベント符号を含むイベント信号を住警器に送信し、ステップＳ２９に進んで連動元警報を停止し、この場合は通常の監視状態に戻る。
【００９０】
またステップＳ２６で住警器から警報停止イベント信号の受信を判別すると、ステップＳ２９に進んで連動元警報を停止する。
【００９１】
ステップＳ２５で自己の警報停止操作を判別した場合は、ステップＳ２８に進んで他の住警器に連番、送信元符号、警報停止を示すイベント符号を含むイベント信号を送信し、ステップＳ２９で連動元警報を停止する。これに限らず、警報停止処理は、先述の（１）〜（３）のパターンの何れに依っても良い。またＬＥＤ５０による表示は、先に述べたように履歴（記憶）表示を行うなど、音響警報の停止処理と異ならせることも出来る。
【００９２】
一方、ステップＳ２１でガス漏れでなかった場合には、ステップＳ３０で他の警報器となる住警器からのイベント信号受信の有無を判別している。住警器からのイベント信号受信を判別すると、ステップＳ３１に進んでイベント符号が自己の検出対象と同種のガス漏れのイベントか否か判別し、同種のガス漏れイベントを判別した場合はステップＳ３２に進んで連動先としてのガス漏れ警報を行う（第１の異常警報）。なお、図１の実施形態ではガス漏れ警報器は１台しか設置していないので、ステップＳ３２の処理は行われない。
【００９３】
これに対しステップＳ３１で自己の検出対象と異種の火災発報イベントを判別した場合はステップＳ３３に進み、連動先としての火災警報を出力する（第２の異常警報）。
【００９４】
次にステップＳ３４で他の住警器からの異常復旧を示すイベント信号受信の有無を判別しており、異常復旧を示すイベント信号を受信すると、ステップＳ３８に進んで連動先としての火災警報を停止し、この場合は通常の監視状態に戻る。
【００９５】
ステップＳ３４で異常復旧を示すイベント信号受信がない場合には、ステップＳ３５で住警器からの警報停止を示すイベント信号の受信の有無をチェックしており、警報停止を示すイベント信号の受信を判別すると、ステップＳ３８に進んで連動先としての火災警報を停止する。
【００９６】
ステップＳ３５で警報停止を示すイベント信号受信がない場合には、ステップＳ３６で警報停止スイッチ１５２による警報停止操作の有無を判別しており、警報停止操作を判別すると、ステップＳ３７に進んで住警器に、連番、送信元符号、警報停止を示すイベント符号を含むイベント信号を送信した後、ステップＳ３８で連動先を示す火災警報を停止する。
【００９７】
なお上記の実施形態は火災を検出して警報する住警器とガス漏れを検出して警報するガス漏れ警報器を配置した複合型の警報システムを例にとるものであったが、異種の警報器として、ガス漏れ警報器以外に、ＣＯ警報器や各種の防犯用警報器を配置した警報システムについても同様に適用できる。
【００９８】
また上記の実施形態におけるフローチャートは処理の概略例を説明したもので、処理の順番等はこれに限定されない。また各処理や処理と処理の間に必要に応じて遅延時間を設けたり、他の判定を挿入する等が出来る。
【００９９】
また上記の実施形態で述べた「受信がある」、「受信が無い」、「受信した場合」、「受信を判別」等は、受信した信号が有効なものとして認識されたか否かの判定も含んでいる。
【０１００】
自己の検出対象と同種の警報（第１の異常警報）と、異なる種類の異常警報（第２の異常警報）は独立して行われるので、第１の警報と第２の警報を同時に出力することもあり、このような場合の警報停止や復旧は第１の警報と第２の警報のどちらかのみについて実施されることもある。このような場合はつまり、第１、第２の警報出力中に例えば第１の警報停止を示すイベント信号を受信した場合には、第１の警報のみを停止して第２の異常警報は引き続き出力するといった処理となる。
【０１０１】
一方、第２の異常警報中に第１の異常警報を示すイベント信号を受信したときには、第２の異常警報を停止して第１の異常警報を出力するなど、警報に優先順位を付けることも出来る。これにより例えば、場合によっては防犯用警報器からの異常信号よりも火災を優先とするなど、異常発生に伴う危険度に応じて利用者に適切な警報を行うことが出来る。
【０１０２】
そして、第２の異常警報は２種類目の警報という意味に限定されない。自己の検出対象と異なる異常警報を複数処理することも出来る。もちろん、場合により第２の警報を優先としても良い。これら優先度は、スイッチやその他適宜の手段で利用者が設定できるようにしても良いし、ソフトウェアやハードウェアを用いた各種手段により出荷時に予め設定登録しておいても良い。
【０１０３】
このように優先度を設定したな場合でも、音響警報や表示警報、それらの停止処理等についてのバリエーションは、上記実施例と同様に選択することが出来る。警報の種類によっては優先度の設定が極めて難しい場合もあり、このようなときには専門家等が設置環境やその他の条件を考慮して行うべきであるが、利用者が設定しても問題の無い範囲のみ利用者が自由に設定できるようにし、その他は利用者には変更できない手段によって専門家が設定するようにしても良い。利用者は設定可能な範囲で優先度を設定することが出来、異常発生の際にどのような対処するべきかを予め想定することも出来る。
【０１０４】
また例えば第１の異常警報を優先的に音響警報している時でも、第２の異常警報を表示によって行う等、音響警報と表示警報を組み合わせた優先処理を行うことも出来る。そして、連動元と連動先の違いによっても優先処理を異ならせることが出来る。例えば、システム全体としては火災警報を最優先とする場合、火災発生時は連動元も連動先も火災を音声警報する。同時にガス漏れが発生している場合は、この連動元となるガス漏れ警報器にとっては第１の異常警報となるガス漏れ警報を表示のみで警報し、第２の異常警報となる火災を音声で警報することなどが出来る。
【０１０５】
そして、火災警報器（住警器）は、自己にとっては第１の異常警報となる火災を音声警報しつつ、第２の異常警報となるガス漏れを表示で警報する。そして例えば、第１の異常警報を優先としている場合でも、第２の異常のみが有る場合には、これを優先警報と同様に警報し、この警報中に第１の異常発生が有ったときに第１の異常を優先警報する。
【０１０６】
このような処理によって、システム全体としてもきめ細かな警報を行い、利用者は発生している異常を確実に知ることが出来、そのうち優先的な（危険度の高い）異常は何かを知ることも出来る。
【０１０７】
更に、例えば連動元の表示は点灯とし連動先の表示は点滅とすることによって、視認している警報器が連動元であるか連動先であるかをも知ることが出来る。このように異常警報に優先度を設けたり連動元と連動先で警報の出力方法を異ならせたり、またそれらを組み合わせることによっても、異常発生の際に、利用者がより適切に対処することが可能になる。
【０１０８】
また上記の実施形態では、住警器に対する異種警報器として配置したガス漏れ警報器に送信と受信を行う無線通信部を設けて双方向通信する場合を例にとっているが、ガス漏れ警報器などの異種警報器にいては、異常を検出してイベント信号を送信する送信機能のみを設けた片方向通信としても良い。
【０１０９】
また、上記の実施形態は住宅用に限らずビルやオフィス用など各種用途の警報器にも適用できる。
【０１１０】
また、上記の実施形態は警報器にセンサ部と警報出力処理部を一体に設けた場合を例にとるが、他の実施形態として、センサ部と警報出力処理部を別体とした警報器であっても良い。
【０１１１】
また本発明は上記の実施形態に限定されず、その目的と利点を損なうことのない適宜の変形を含み、更に上記の実施形態に示した数値による限定は受けない。
【符号の説明】
【０１１２】
１０−１〜１０−５：住警器
１２：ガス漏れ警報器
１４：住宅
１６：ガレージ
１８，１１８：プロセッサ
２０，１２０：無線通信部
２１，１２１：アンテナ
２２，１２２：メモリ
２４，１２４：センサ部
２６，１２６：報知部
２８，１２８：操作部
３０，１３０：電池電源
３２，１３２：送信回路
３４，１３４：受信回路
３６：イベント信号
３８：連番
４０：送信元符号
４２：イベント符号
４４：イベント管理テーブル
４６：検煙部
４８，１４８：スピーカ
５０，１５０：ＬＥＤ
５２，１５２：警報停止スイッチ
５６，１５６：イベント検出部
５８，１５８：送信処理部
６０，１６０：受信処理部
６２，１６２：警報処理部
【図１】
2010267182.tif 000003
【図２】
2010267182.tif 000004
【図３】
2010267182.tif 000005
【図４】
2010267182.tif 000006
【図５】
2010267182.tif 000007
【図６】
2010267182.tif 000008
【図７】
2010267182.tif 000009